(57)【要約】【課題】新規の伝送設定を伝送通信ソフトウェアに登録する作業を少なくとも自動化できるシステムを提供する。【解決手段】伝送設定自動化システム１の伝送設定管理装置１０は，操作装置１３から設定情報ファイル２が送信されると，操作装置１３から送信された設定情報ファイル２内の所定項目をチェックした後，チェック結果が正常であれば，ファイル形式を変換した設定情報ファイル２ａを設定情報ＤＢ１２に登録する。伝送装置１１は，設定情報ＤＢ１２から設定情報ファイル２ａを読み出し，設定情報ファイル２ａで記されている伝送設定内容を伝送通信ソフトウェアに反映させる。【選択図】図１
2014215653.tif 000002
【特許請求の範囲】
【請求項１】
ファイル転送するための伝送通信ソフトウェアがインストールされた複数の伝送装置と，管理者が操作する装置から伝送設定の内容を記した設定情報ファイルが送信される伝送設定管理装置と，前記伝送装置毎に設けられた設定情報ＤＢ（Data Base）とから少なくとも構成され，
前記伝送設定管理装置は，前記設定情報ファイルが送信されると，前記装置から送信された前記設定情報ファイル内の所定項目をチェックした後，チェック結果が正常であれば，この前記設定情報ファイルから特定した前記伝送装置に対応する前記設定情報ＤＢに前記設定情報ファイルを登録する処理を行い，
前記伝送装置は，自装置に対応する前記設定情報ＤＢに定期的にアクセスし，新規に前記設定情報ファイルが追加されている場合，この前記設定情報ファイルに記された伝送設定を前記伝送通信ソフトウェアに反映させる処理を行う，
ことを特徴とする伝送設定自動化システム。
【請求項２】
前記伝送設定管理装置は，前記設定情報ＤＢに前記設定情報ファイルを登録する前に，前記設定情報ファイルのファイル形式を確認し，前記設定情報ファイルのファイル形式が前記伝送通信ソフトウェアのファイル形式と異なる場合，前記設定情報ファイルのファイル形式を前記伝送通信ソフトウェアのファイル形式に変換する，ことを特徴とする請求項１に記載した伝送設定自動化システム。
【発明の詳細な説明】
【技術分野】
【０００１】
本発明は，企業や事業所間でファイルを転送するデータ伝送の技術分野に関し，更に詳しくは，伝送設定を自動的に行う技術に関する。
【背景技術】
【０００２】
印刷会社の工場では，セキュアにファイルを転送できる伝送通信ソフトウェアを利用して，企業や事業所間とのデータ連携を行っているが，伝送設定の新規追加要求があると，その都度，管理者は，（１）伝送設定のレビュー，（２）伝送設定の新規登録，（３）新規登録した伝送設定のテストを手動で実施しなければならず，業務時間の大半を，（２）および（３）の作業に費やしているという現状がある。特に，（２）伝送設定の新規登録は，伝送通信ソフトウェアのＧＵＩを用いて行わなければならず，この作業に時間がかかるばかりか，人的な設定ミスも発生し易かった。
【０００３】
（２）伝送設定の新規登録を短時間で行うことができる発明として、特許文献１において，伝送初回設定及びダイナミックな伝送設定変更を短時間で行うことができ、かつ，バックアップ局を確保できる発明が開示されている。しかし，特許文献１で開示されている発明は，伝送設定のバックアップ情報を用いて伝送設定の登録を行う発明で，（２）伝送設定の新規登録を短時間で行うための発明ではない。
【先行技術文献】
【特許文献】
【０００４】
【特許文献１】特開２０００−２５３０１６号公報
【発明の概要】
【発明が解決しようとする課題】
【０００５】
そこで，本発明は，新規の伝送設定を伝送通信ソフトウェアに登録する作業を少なくとも自動化できるシステムを提供する。
【課題を解決するための手段】
【０００６】
上述した課題を解決する第１の発明は，ファイル転送するための伝送通信ソフトウェアがインストールされた複数の伝送装置と，管理者が操作する装置から伝送設定の内容を記した設定情報ファイルが送信される伝送設定管理装置と，前記伝送装置毎に設けられた設定情報ＤＢ（Data Base）とから少なくとも構成される伝送設定自動化システムである。
【０００７】
前記伝送設定管理装置は，人的な設定ミスを防止するため，前記設定情報ファイルが送信されると，前記装置から送信された前記設定情報ファイル内の所定項目をチェックした後，チェック結果が正常であれば，前記設定情報ファイルを前記伝送装置に受け渡すために，この前記設定情報ファイルから特定した前記伝送装置に対応する前記設定情報ＤＢに前記設定情報ファイルを登録する処理を行う。
【０００８】
前記伝送装置は，新規の伝送設定を伝送通信ソフトウェアに自動で登録できるように，自装置に対応する前記設定情報ＤＢに定期的にアクセスし，新規に前記設定情報ファイルが追加されている場合，この前記設定情報ファイルに記された伝送設定を前記伝送通信ソフトウェアに反映させる処理を行う。
【０００９】
更に，第２の発明は，第１の発明に記載した伝送設定自動化システムにおいて，前記伝送設定管理装置は，管理者が前記設定情報ファイルの作成に任意のアプリケーションを用いることができるように，前記設定情報ＤＢに前記設定情報ファイルを登録する前に，前記設定情報ファイルのファイル形式を確認し，前記設定情報ファイルのファイル形式が前記伝送通信ソフトウェアのファイル形式と異なる場合，前記設定情報ファイルのファイル形式を前記伝送通信ソフトウェアのファイル形式に変換することを特徴とする。
【発明の効果】
【００１０】
このように，上述した本発明によれば，新規の伝送設定を伝送通信ソフトウェアに登録する作業を少なくとも自動化できるシステムを提供する。
【図面の簡単な説明】
【００１１】
【図１】本実施形態にかかる伝送設定自動化システムの構成を説明する図。
【図２】伝送設定自動化システムの動作を説明する図。
【発明を実施するための形態】
【００１２】
ここから，本発明の好適な実施形態を記載する。なお，以下の記載は本発明の範囲を束縛するものでなく，理解を助けるために記述するものである。
【００１３】
図１は，本実施形態にかかる伝送設定自動化システム１の構成を説明する図である。図１で図示した伝送設定自動化システム１は，新規の伝送設定を伝送通信ソフトウェアに登録する作業を自動化できるように発案されたシステムである。
【００１４】
図１で図示した伝送設定自動化システム１には，新規登録する伝送設定の内容を記した設定情報ファイル２を管理者が作成するときに利用する操作装置１３と，操作装置１３から設定情報ファイル２が送信される伝送設定管理装置１０と，ファイル転送するための伝送通信ソフトウェアがインストールされた複数の伝送装置１１と，伝送装置１１毎に設けられた設定情報ＤＢ１２（Data Base）とから少なくとも構成される。また，各々の伝送装置１１は，ネットワーク３ａを介して接続先３と接続している。
【００１５】
操作装置１３は，汎用のパーソナルコンピュータを用いて実現される装置で，管理者が設定情報ファイルの作成に用いるアプリケーションがインストールされている。設定情報ファイル２の作成に用いるアプリケーションは汎用のアプリケーションでよく，テキストエディタや表計算ソフトを用いることができる。
【００１６】
管理者が作成する設定情報ファイル２には，伝送設定情報，トリガー情報，処理情報およびテスト情報が含まれる。伝送設定情報には，設定情報ファイル２で記されている伝送設定を反映させる伝送装置１１のホスト名，新規の接続先のホスト名，新規の接続先の接続情報（ネットワークアドレスや電話番号など），配信情報（転送するファイルのパスなど），集信情報（転送されたファイルの出力先など）が記される。また，トリガー情報には，ファイルを転送するときのトリガーとなるイベント（ファイルの登録，時間など）が記される。また，起動処理情報には，配信前と集信後に実行する処理が記される。また，テスト情報には，データ伝送テストのスケジュール（日時やテスト手順）が記される。
【００１７】
伝送設定管理装置１０は，管理者が作成した設定情報ファイル２が送信される装置で，汎用的なサーバを用いて実現され，コンピュータプログラムによって実現される機能として，操作装置１３から設定情報ファイル２が送信されると，操作装置１３から送信された設定情報ファイル２内の所定項目をチェックした後，チェック結果が正常であれば，この設定情報ファイル２から特定した伝送装置１１に対応する設定情報ＤＢ１２にファイル形式を変換した設定情報ファイル２ａを登録する機能を備える。
【００１８】
また，本実施形態において，管理者は，任意のアプリケーションを用いて設定情報ファイル２を作成するため，伝送設定管理装置１０は，設定情報ＤＢ１２に設定情報ファイル２を登録する前に，管理者が作成した設定情報ファイル２のファイル形式を確認し，管理者が作成した設定情報ファイル２のファイル形式が伝送通信ソフトウェアのファイル形式と異なる場合，管理者が作成した設定情報ファイル２のファイル形式を伝送通信ソフトウェアのファイル形式に変換する。
【００１９】
設定情報ファイル２をチェックする所定項目は，伝送装置１１にインストールされた伝送通信ソフトウェア等の仕様に依存する。例えば，伝送通信ソフトウェアの仕様によって，ホスト名の文字数に制限がある場合，伝送設定管理装置１０は，所定項目の一つとして，設定情報ファイル２に含まれるホスト名の文字数が制限値以下であるかチェックする。また，伝送通信ソフトウェアの仕様によって，ホスト名の重複が禁止されている場合，伝送設定管理装置１０は，所定項目の一つとして，設定情報ファイル２に含まれる接続先のホスト名が他のホスト名と重複していないかチェックする。
【００２０】
また，伝送設定管理装置１０は，操作装置１３から送信された設定情報ファイル２のファイル形式を変換する際，この設定情報ファイル２からテキストを抽出し，設定情報ファイル２から抽出したテキストを用い，伝送装置１１にインストールされた伝送通信ソフトウェアに対応したファイル形式の設定情報ファイル２ａを生成する。
【００２１】
また，伝送設定管理装置１０は，ファイル形式を変換した設定情報ファイル２ａを設定情報ＤＢ１２に登録する際，設定情報ＤＢ１２に登録する設定情報ファイル２ａから伝送装置１１のホスト名を抽出し，このホスト名で特定した伝送装置１１に対応した設定情報ＤＢ１２に，ファイル形式を変換した設定情報ファイル２ａを登録する。
【００２２】
伝送装置１１は，汎用的なパーソナルコンピュータを利用して実現される装置で，上述したように，伝送装置１１には伝送通信ソフトウェアがインストールされている。伝送装置１１にインストールされた伝送通信ソフトウェアは，伝送装置１１と接続している設定情報ＤＢ１２へ定期的にアクセスし，設定情報ＤＢ１２に設定情報ファイル２ａが新規追加されている場合，この設定情報ファイル２ａを読み込んで，設定情報ファイル２ａで記されている伝送設定を伝送通信ソフトウェアに反映させる。
【００２３】
図２は，伝送設定自動化システム１の動作を説明する図である。新たな伝送設定を新規登録する際，管理者は，操作装置１３にインストールされたアプリケーションを操作して，新規登録する伝送設定の内容を記した設定情報ファイル２を作成し（Ｓ１），作成した設定情報ファイル２を伝送設定管理装置１０へ送信する（Ｓ２）。
【００２４】
伝送設定管理装置１０は，操作装置１３から設定情報ファイル２が登録されると，操作装置１３から送信された設定情報ファイル２内の所定項目をチェックする（Ｓ３）。そして，伝送設定管理装置１０は，チェック結果が正常ならば，操作装置１３から送信された設定情報ファイル２のファイル形式を，操作装置１３にインストールされたアプリケーションのファイル形式から伝送装置１１にインストールされた伝送通信ソフトウェアのファイル形式に変換し（Ｓ４），ファイル形式を変換した設定情報ファイル２ａを，設定情報ファイル２ａから特定した伝送装置１１に対応した設定情報ＤＢ１２に登録する（Ｓ５）。
【００２５】
伝送装置１１は，定期的（例えば，３０分毎）に設定情報ＤＢ１２へアクセスし，新規に追加された設定情報ファイル２ａがあるか確認する（Ｓ６）。新規に追加された設定情報ファイル２ａがあれば，伝送装置１１は，新規に追加された設定情報ファイル２ａの内容を読み込み，新規に追加された設定情報ファイル２ａで記された伝送設定を伝送通信ソフトウェアに反映して（Ｓ７），この手順を終了する。
【００２６】
このように，本実施形態による伝送設定自動化システム１によれば，管理者は，伝送設定の新規登録を行う際，新規登録する伝送設定の内容を記した設定情報ファイル２を作成し，作成した設定情報ファイル２を伝送設定管理装置１０へ送信すれば，設定情報ファイル２で特定される伝送装置１１の伝送通信ソフトウェアに，設定情報ファイル２で記されている伝送設定の内容が自動的に反映されることになる。また，伝送設定管理装置１０側で設定情報ファイル２の内容をチェックすれば，新規の伝送設定を伝送装置に登録する前に，伝送設定にかかる人為的な設定ミスを事前に防ぐことができる。
【符号の説明】
【００２７】
１    伝送設定自動化システム
１０  伝送設定管理装置
１１  伝送装置
１２  設定情報ＤＢ
１３  操作装置
２    管理者が作成した設定情報ファイル
２ａ  ファイル変換後の設定情報ファイル
【図１】
2014215653.tif 000003
【図２】
2014215653.tif 000004